(57)【要約】【課題】フラップの開封を容易にすると共に、内容物の取出しを容易にするラップアラウンドケースを提供する。【解決手段】ダンボールシートを所定位置で折り曲げて形成し、対向する２対の面と、閉止・開封可能なサイドフラップにより形成され、対向する１対の面からなるサイドフラップａ１〜ｄ１を有する直方体のダンボール箱において、少なくとも一方の端面のサイドフラップａ１，ｃ１と当該サイドフラップに続く面Ａ，Ｃに、切り開いて開封するための開封フラップａ１１，ｃ１１をミシン目２２により形成する。【選択図】  図１
2006076588.tif 000002
【特許請求の範囲】
【請求項１】
天板の端部に罫線を介して設けられた天板フラップと底板の端部に罫線を介して設けられた底板フラップと側板の端部に罫線を介して設けられた側板フラップとを有し、各フラップを罫線部分で折り曲げ、前記天板フラップと前記側板フラップ及び前記底板フラップと前記側板フラップとを接着剤にて接着し内容物を収容するラップアラウンドケースにおいて、
上記天板フラップ及び底板フラップと当該天板フラップＡ，底板ラップに続く天板及び底板に、切り開いて開封するための開封フラップをミシン目により形成したことを特徴とするラップアラウンドケース。
【請求項２】
開封した開封フラップの開封状態を維持するための罫線をミシン目の終端間に形成したことを特徴とする請求項１に記載のラップアラウンドケース。
【請求項３】
開封フラップは端縁の両端に他のフラップの縁部に係止させるための係止片を形成したことを特徴とする請求項１又は請求項２に記載のラップアラウンドケース。
【発明の詳細な説明】
【技術分野】
【０００１】
本発明は、ラップアラウンドケース係り、特に、缶入り飲料などの商品を包装、収納する段ボール製のラップアラウンドケースにおいて、フラップを開封して内容物を取り出す際に、フラップの開封を容易にすると共に内容物の取出しが容易となるラップアラウンドケースに関する。
【背景技術】
【０００２】
缶入り飲料のような商品を保管あるいは輸送する場合に、複数の缶を、段ボール製のラップアラウンドケースに収容して包装することが行われる（特許文献１参照）。当該ケースより収容された缶などの内容物を取り出す際には、包装の際、接着剤により閉止されたサイドフラップを開封して行う。即ち、図５に示すように、ラップアラウンドケースの天板Ａの一端設けられたサイドフラップである天板フラップａと底板Ｃの一端に設けられた底板のサイドフラップである底板フラップcは罫線により折り曲げられ、接着剤で閉止されているが、内容物を取出す際には、接着されている天板フラップａと底板フラップｃを罫線を軸として開封する。
しかしながら、両サイドフラップを開けただけでは収容されている缶容器を取出すことは困難であり、天板内面と収容されている缶容器との間あるいは側板内面と缶容器との間に無理やり手を差込んで取出さなければならなかった。
また、開封したフラップは開いたまま、ばたついた状態となるため、手がフラップの端縁にふれて手を傷めたたりすることがある。更に、一旦開封したフラップを再度閉止しようとする場合、接着テープなどで閉止する必要がある。
【特許文献１】特開平１０−３５６４０号公報
【発明の開示】
【発明が解決しようとする課題】
【０００３】
本発明は、上記問題点を解決することを目的としてなされたもので、ラップアラウンドケースを開封して内容物を取り出す場合、フラップの開封を容易にすると共に開封後の内容物の取出しを容易にするラップアラウンドケースを提供することにある。また、本発明の他の目的は、一旦開封したラップアラウンドケースのフラップを再度閉止することのできるラップアラウンドケースを提供することを目的とする。
【課題を解決するための手段】
【０００４】
本発明の一つの態様は、天板の端部に罫線を介して設けられた天板フラップと底板の端部に罫線を介して設けられた底板フラップと側板の端部に罫線を介して設けられた側板フラップとを有し、各フラップを罫線部分で折り曲げ、前記天板フラップと前記側板フラップ及び前記底板フラップと前記側板フラップとを接着剤にて接着し内容物を収容するラップアラウンドケースにおいて、
上記天板フラップ及び底板フラップと当該天板フラップＡ，底板ラップに続く天板及び底板に、切り開いて開封するための開封フラップをミシン目により形成したことを特徴とするラップアラウンドケースである。
【０００５】
また、本発明の他の態様は、上記ラップアラウンドケースにおいて、開封した開封フラップの開封状態を維持するための罫線をミシン目の終端間に形成したことを特徴とするラップアラウンドケースである。
【０００６】
また、さらに本発明の他の態様は、上記ラップアンドアラウンドケースにおいて、開封フラップは端縁の両端に他のフラップの縁部に係止させるための係止片を形成したことを特徴とするラップアラウンドケースである。
【発明の効果】
【０００７】
本発明によれば、ラップラウンドケースを開封して内容物を取り出す場合、ミシン目により形成された開封フラップをミシン目に沿って切り離して開封することにより、上部のフラップの部分のみならず、深い位置まで開口を形成することができ、内容物の取り出しがきわめて容易となる。
【０００８】
また、開封した開封フラップは、その基部に形成された罫線の部分で折り曲げることができ、折り曲げた状態を維持できるため、引き続き行う内容物の取り出し作業において、開封フラップが邪魔になることがない。
【０００９】
また、開封フラップの端縁部分の両端に係止片を形成しておくことにより、一旦開封したフラップを他のサイドフラップに係止させることにより、仮止めして再度閉止することができ、接着テープ等を使用して止めておくなどの手間を省くことができる。
【発明を実施するための最良の形態】
【００１０】
以下、図面を参照して、本発明の実施の形態を説明する。
【００１１】
図１は、本発明の実施形態に係るラップアラウンドケース１を示し、図２はラップアラウンドケース箱１を折り畳みにより製造するための展開シート２を示す。
【００１２】
ラップアラウンドケース１は直方体形状で幅広面（天板）Ａと幅広面（底板）Ｃ、側面Ｂ，Ｄと両サイドにサイドフラップａ１（天板フラップ），ｃ１（底板フラップ）、とサイドフラップｂ１，ｄ１（側版フラップ）を有する。一方の側の天板フラップａ１，底板フラップｃ１には、後述するように開封を容易にする開封フラップを形成するためのミシン目２２と折り曲げを容易にする罫線２３が設けられている。図１（ａ）は物品を収納し包装した状態を示し、図１（ｂ）はミシン目の部分を切り離し、フラップの一部を開封した状態を示している。
【００１３】
図２は、ラップアラウンドケース１を組み立てるための展開シート２を示す。展開シート２は、幅広面（天板）Ａ、側面Ｂ，幅広面（底板）Ｃ、側面Ｄ及び糊付け部Ｅの区分面が連続して形成された全体として一枚のラップアラウンドケースシートからなる。尚、幅広面の「天板」、「底板」は、便宜上の呼称で、その面が必ず、上側や下側にくることを意味するものでない。幅広面Ａ，Ｂと側面Ｃ，Ｄは互いに対向する直方体の２対の面を形成する。なお、隣接する各区分面の間には折曲げを容易とする罫線が形成されている。
【００１４】
また、天板Ａ，側版Ｂ，底板Ｃ，側板Ｄの夫々の両側端縁には連続して天板フラップａ１、側版フラップｂ１、底板フラップｃ１、側版フラップｄ１、が形成される。各区分面と各フラップの境界にも、同様に折曲げを容易とする罫線２１が形成されている。これら、フラップａ１〜ｄ１は、物品を包装して組み立てたダンボール箱１を閉止し、また開封する部位となるサイドフラップとなる。これらのサイドフラップは内容物を包装して折り畳んだ場合は、接着剤などで接着されて閉止され、直方体の互いに対向する１対の面を構成する。
【００１５】
本実施形態のラップアラウンドケースにおいては、更に、天板フラップａ１と底板フラップｃ１に開封フラップａ１１ｃ１１を設けている。開封フラップａ１１はフラップａ１の中央部分を切り離して開封できるようにするためのもので、切り離す形状に沿って２本のミシン目２２が形成される。ミシン目２２はフラップａ１の上端縁より幅広面Ａとの境界の罫線２１に至り、更に、所定の距離Ｗだけ、幅広面Ａの内部に入り込むようにして形成する。
【００１６】
そして、２本のミシン目の終端間に罫線２３を形成する。従って、２本のミシン目２２と罫線２３により全体として概略矩形状の開封フラップａ１１が形成されることとなる。
【００１７】
同様に、フラップｃ１にもミシン目と罫線により開封フラップｃ１１が形成される。
【００１８】
尚、天板フラップａ１、底板フラップｃ１の両側の罫線２１の部分を選択的にミシン目２４を施すようにしてもよい。これにより、ラップアラウンドケースを最終的に解体する際、このミシン目２４の部分を切り離すことにより、ケース全体の折り畳みが容易となる。
【００１９】
図３は組み立てた状態のラップアラウンドケース１の開封フラップａ１１及びｃ１１の詳細を示す図である。図示のように、本実施形態においては、フラップａ１及びフラップｃ１に形成されたミシン目２２の幅広面Ａとの境界罫線２１の近傍部分を裏面ハーフカットとして、その部分を多少切り離しにくくしている。これは、ラップアラウンドケースの搬送や取扱い時に不用意に開封フラップが開封して内容物が飛び出るようなことを防ぐためである。
【００２０】
図４は、本発明の開封フラップの他の機能、すなわち、再閉止機能を説明するための図である。本実施形態の開封フラップａ１１はその端縁の両端に横方向に突出する係止部ａ１２が形成されるようにミシン目を形成している（図２参照）。開封フラップｃ１１にも同様に係止部ｃ１２が形成される。開封フラップａ１１，ｃ１１を一旦開封して内容物を取り出し、再度ラップアラウンドケースを閉止したい場合、図４の矢印で示すように、開けた開封フラップａ１１を閉じてから、係止部ａ１２を側面Ｂと側面Ｄのフラップｂ１とｄ１の縁に係止させることにより、開封フラップを閉じた状態に保つことができる。このようにすることにより、接着テープなどを使用することなしに、再度閉止した状態を保つことができ、不使用時に開いた状態のフラップに手が触れるなどして手を傷めるなどの不慮の事故を防ぐことができる。
【図面の簡単な説明】
【００２１】
【図１】本発明の実施形態に係るラップアラウンドケースを示すである。図１（ａ）は物品を収納し包装した状態を示し、図１（ｂ）はミシン目の部分でフラップの一部を開封した状態を示す。
【図２】ラップアラウンドケースを折り畳みにより製造するための展開シート部材を示す。
【図３】組み立てた状態のラップアラウンドケースの開封フラップ詳細を示す図である。
【図４】本発明の開封フラップ再閉止機能を説明するための図である。
【図５】従来のラップアラウンドケースを示す図である。
【符号の説明】
【００２２】
１  ラップアラウンドケース
２  ラップアラウンドケースシート
Ａ  天面
Ｂ  側板
Ｃ  底板
Ｄ  側板
ａ１  天板フラップ
ｃ１  底板フラップ
ｂ１  ，ｄ１  側版フラップ
ａ１１，ｃ１１  開封フラップ
【図１】
2006076588.tif 000003
【図２】
2006076588.tif 000004
【図３】
2006076588.tif 000005
【図４】
2006076588.tif 000006
【図５】
2006076588.tif 000007